(57)【要約】【課題】踏み段における利用者の立つ領域が変わることなく、利用者が容易に把持することができる乗客コンベア用移動手摺を得る。【解決手段】踏み段の進行方向に沿って両側に設けられ、踏み段と同期して回転する、無端帯である、乗客コンベアの移動手摺１において、断面が欠円形状である基部５と、この基部５の外側に設けられた、軟質材料の変形部６とを備え、この変形部６は、外力を与えると変形し、外力を取り除くと元の形状に復帰する。【選択図】図２
2008105814.tif 000002
【特許請求の範囲】
【請求項１】
踏み段の進行方向に沿って両側に設けられ、前記踏み段と同期して回転する、無端帯である乗客コンベア用移動手摺において、
断面が欠円形状である基部と、
前記基部の外側に設けられた、軟質材料の変形部とを備え、
前記変形部は、外力を与えると変形し、前記外力を取り除くと元の形状に復帰することを特徴とする乗客コンベア用移動手摺。
【請求項２】
前記変形部は、樹脂であることを特徴とする請求項１に記載の乗客コンベア用移動手摺。
【請求項３】
前記樹脂は、ウレタンフォームであることを特徴とする請求項２に記載の乗客コンベア用移動手摺。
【発明の詳細な説明】
【技術分野】
【０００１】
この発明は、踏み段の進行方向に沿って両側に設けられ、踏み段と同期して回転する乗客コンベア用移動手摺に関する。
【背景技術】
【０００２】
従来、踏み段の進行方向に沿って両側に設けられ、前記踏み段と同期して回転する、無端帯であるエスカレータ用移動手摺において、このエスカレータ用記移動手摺の内側に進行方向に沿って並べられた複数の取っ手を備えたことを特徴とするエスカレータ用移動手摺が知られている（例えば、特許文献１参照）。
このことにより、踏み段上の利用者がバランスを崩した場合であっても、利用者が容易に取っ手を把持することができるので、利用者の転倒の発生を低減させることができる。
【０００３】
【特許文献１】特開２００６−１６２０４号公報
【発明の開示】
【発明が解決しようとする課題】
【０００４】
しかしながら、このものの場合、取っ手が移動手摺の内側に設けられているので、踏み段上の利用者の立つ領域が狭くなってしまうという問題点があった。
【０００５】
この発明は、上述のような問題点を解決することを課題とするものであって、その目的は、利用者が踏み段の全領域を自由に使えるとともに、利用者が容易に把持することができる乗客コンベア用移動手摺を提供するものである。
【課題を解決するための手段】
【０００６】
この発明に係る乗客コンベア用移動手摺は、踏み段の進行方向に沿って両側に設けられ、前記踏み段と同期して回転する、無端帯である乗客コンベア用移動手摺において、断面が欠円形状である基部と、前記基部の外側に設けられた、軟質材料の変形部とを備え、前記変形部は、外力を与えると変形し、前記外力を取り除くと元の形状に復帰する。
【発明の効果】
【０００７】
この発明に係る乗客コンベア用移動手摺によれば、利用者が踏み段の全領域を自由に使えるとともに、利用者が容易に把持することができる。
【発明を実施するための最良の形態】
【０００８】
実施の形態１．
図１は実施の形態１に係る乗客コンベアの移動手摺１を備えた乗客コンベアの説明図、図２は図１の移動手摺１の断面図である。
実施の形態１に係る乗客コンベアの移動手摺１は、無端帯であり、図示しない踏み段の進行方向に沿って両側に、回動可能に設けられている。
回動する移動手摺１の内周面には、複数の駆動ローラ２が回転可能に設けられており、移動手摺１の外周面には、複数の加圧ローラ３が駆動ローラ２の回転軸と平行な回転軸を中心に回転可能に設けられている。
駆動ローラ２と加圧ローラ３とにより移動手摺１を挟み込み、加圧ローラ３が移動手摺１を内側に押圧することで、移動手摺１は、駆動ローラ２と滑らない程度の摩擦を有して接触している。
駆動ローラ２は図示しない駆動機と手摺チェーン４を介して連結されている。
駆動機が駆動すると、手摺チェーン４を介して駆動ローラ２が回転し、駆動ローラ２と接触した移動手摺１が回動する。このとき、踏み段は移動手摺１と同期して回動する。
【０００９】
移動手摺１は、断面が欠円形状の基部５を備えており、この基部５は、中間部に設けられた平らな平板部５ａと、この平板部５ａの両端部に設けられた円弧形状の円弧部５ｂとを有している。平板部５ａは円弧部５ｂより厚みがあり、平板部５ａと円弧部５ｂとの境には、段部が形成されている。
それぞれの円弧部５ｂの反平板部５ａ側の端部には、径方向外側に延びた終端部５ｃが設けられている。それぞれの終端部５ｃは、平行に配置されており、これらの終端部５ｃの間が移動手摺１の開口部となる。終端部５ｃの突出した高さは、平板部５ａと円弧部５ｂとの境に形成された段部の高さと同程度である。
【００１０】
また、移動手摺１は、それぞれの円弧部５ｂの外側に、円弧部５ｂの円弧形状に沿って軟質素材の変形部６を有している。変形部６の厚みは、平板部５ａと円弧部５ｂとの境に形成された段部の高さと同程度である。
平板部５ａは、駆動ローラ２および加圧ローラ３と接触している。
【００１１】
基部５は、従来の移動手摺と同様の硬質な材料、形状から構成されており、移動手摺１を把持し、回動させる手段も従来と同様のものを用いている。
軟質素材である変形部６は、円弧部５ｂに重ねて設けられているので、移動手摺１全体が軟質素材から構成されている場合と比較して、移動手摺１の断面形状をより長期間に渡って維持することができる。
【００１２】
図３（ａ）は図１の利用者により把持された移動手摺１を示す平面図、図３（ｂ）は図３（ａ）の利用者の手が離れた直後の移動手摺１を示す平面図、図３（ｃ）は図３（ａ）の利用者の手が離れ、しばらく時間が経過して元の形状に復帰した移動手摺１を示す平面図である。
変形部６は、樹脂であるウレタンフォームから構成されており、図３（ａ）〜図３（ｃ）に示すように、利用者が移動手摺１を保持すると、変形部６は保持する手の形状に沿って変形し、外力変形部６ａが形成される。
この外力変形部６ａにより、変形部６は利用者の手との接触面積が増大するので、利用者の手が移動手摺１から滑りにくくなり、利用者は容易に把持することができる。
利用者が移動手摺１から手を離すと、一定時間、例えば、数秒〜２０秒程度経過後に、外力変形部６ａはなくなり、変形部６は元の形状に戻る。
【００１３】
以上説明したように、実施の形態１に係る移動手摺１によると、断面が欠円形状の基部５と、この基部５の円弧部５ｂの外側に設けられた、ウレタンフォームの変形部６とを備えているので、移動手摺１の内側に取っ手を設けなくても、利用者は移動手摺１を直接、容易に把持することができる。
その結果、踏み段上の利用者がバランスを崩した場合に、利用者が容易に移動手摺１を把持して、利用者の転倒の発生を低減させることができる。
また、移動手摺１の内側に取っ手を設ける必要がないので、利用者が踏み段の全領域を自由に使用することができる。
【００１４】
また、変形部６は、樹脂であるので簡単に円弧部５ｂの形状に沿って製造することができる。
【００１５】
また、変形部６は、ウレタンフォームであるので、利用者が移動手摺１から手を離すと、元の形に復帰させることができ、次の利用者は、任意の位置で移動手摺１を把持し、利用者の手の形状に合わせて移動手摺１を変形させることができる。
【００１６】
また、実施の形態１に係る移動手摺１は、既存の乗客コンベアの移動手摺とサイズ等の外見上の形状に変化がないので、既存の乗客コンベアに容易に適用することができる。
【００１７】
また、変形部６は、平板部５ａと円弧部５ｂとの間の段差部および円弧部５ｂと終端部５ｃとの間の段差部の中に収納されているので、利用者の横方向への外力によって、変形部６が基部５に沿ってずれて、片側に偏ってしまうのを防いでいる。
【００１８】
なお、上記実施の形態１では、ウレタンフォームから構成された変形部６について説明したが、勿論このものに限らず、例えば、ゴムスポンジから構成された変形部６のように、外力を加えると変形し、その外力を取り除くと元の形に復帰するものであればよい。
【図面の簡単な説明】
【００１９】
【図１】実施の形態１に係る乗客コンベアの移動手摺を備えた乗客コンベアの説明図である。
【図２】図１の移動手摺の断面図である。
【図３】図３（ａ）は図１の利用者により把持された移動手摺を示す平面図、図３（ｂ）は図３（ａ）の利用者の手が離れた直後の移動手摺を示す平面図、図３（ｃ）は図３（ａ）の利用者の手が離れ、しばらく時間が経過して元の形状に復帰した移動手摺を示す平面図である。
【符号の説明】
【００２０】
１  移動手摺、２  駆動ローラ、３  加圧ローラ、４  手摺チェーン、５  基部、５ａ  平板部、５ｂ  円弧部、５ｃ  終端部、６  変形部、６ａ  外力変形部。
【図１】
2008105814.tif 000003
【図２】
2008105814.tif 000004
【図３】
2008105814.tif 000005